(57)【要約】      （修正有）【課題】掃除機基盤上に帯状のフローリングシートが連続して使用出来るようなローラ装置を設け、従来の長方形雑巾モップ或はペーパーシート等による労働的、時間的負担の軽減を図る、床拭き掃除機を提供する。【解決手段】床拭き掃除機の掃除機基盤１上にフローリングシート４の使用前シートローラと使用後シートローラを平行且つ接近して、ローラ支持脚２に装着し、フローリングシートが汚れたのを見計らって使用後シートローラに巻き取る機能を有する構造とし、初期セットはシート前端をフローリング基盤の底面に沿って、使用後シートローラに直接巻付けるか、使用後シートローラに設けられるシート受７にクリップされ、前進或は往復動作により拭き取り作業が行われる。本考案は手動の他、電動或はリモートコントロールも行い易い機能を有する。【選択図】図１
0003235239.tif 000002
【実用新案登録請求の範囲】
【請求項１】
掃除機基盤上に、使用前シートローラと使用後シートローラを平行且つ接近させて回転支持するとともに、フローリングシートを掃除機基盤の底面に沿って、シート受けに直接巻付けるかヘアーピン止めされ巻き取りされる機能を有する床拭き掃除機。
【請求項２】
請求項１において、フローリングシートは帯状にして且つ再利用或は使い捨ての選択可能な材質が使用出来る特徴を有するものである。
【請求項３】
請求項１において、フローリングシートの巻き取りが手動から駆動モータによる巻き取りへと発展的機能を有する床拭き掃除機。
【考案の詳細な説明】
【技術分野】
【０００１】
本考案は板床、廊下、畳等の表面を拭き掃除する床拭き掃除機に関する。
【背景技術】
【０００２】
学校、神社、仏閣、家庭等の平床の掃除は普段は真空掃除機、モップ、手箒等が使用されていたが、これらの手段では比較的粒子の大きい場合はごみ掃除が可能であるが、粒子が小さく湿気や油気がある場合にはこれらの汚れは除去出来ない。従ってこのような状態では長方形の雑巾又はウェットシートを柄の先に取り付けて拭いたり、手で雑巾掛けされて来たが、労働的負担が大きく、又雑巾を度々洗って交換する必要から時間的損失が大きい。
【考案の概要】
【考案が解決しようとする課題】
【０００３】
上述の如き従来の汚れを拭き取る手法で雑巾を、帯状にしたフローリングシートを作成し、雑巾を一枚度に取り扱うのではなく、連続的に床拭き作業が出来るような機能を有する床拭き掃除機を提供する。
【課題を解決するための手段】
【０００４】
本考案は、使用前の雑巾（以下フローリングシートと言う）を収納する使用前ローラと使用後のフローリングシートを巻き取り収納する使用後ローラを平行にし且つ近接し、掃除機基盤上に回転保持するとともに、掃除機基盤の前部端と後部端にフローリングシートの滑りと保持を有する。
半円筒、或はローラを設け、この掃除機基盤に操作ハンドルを装着して構成され問題を解決しようとするものである。
【考案の効果】
【０００５】
上述のように、本考案の床拭き掃除機によればフローリングシートを使用前ローラに装着し、拭いて汚れたフローリングシートを使用後ローラに巻き取り収納することによって床拭き作業が行われるため、従来真空掃除機や手箒等で掃除した後の小さい粒子の汚れは雑巾紐状のモップ或はペーパーシート等を手拭き或は棒状の柄の先に取付けて作業していた事に比べ労働的負担の軽減と作業時間の短縮による損失が軽減される。
【図面の簡単な説明】
【０００６】
【図１】本考案の床拭き掃除機を示す正面図である
【図２】本掃除機の図１ＡＢＣＤＥ断面を矢印方向に視た図である
【図３】ハンドルの構造例を示す
【図４】ガイドローラ採用の構造図を示す
【考案を実施する為の形態】
【０００７】
使用前のフローリングシートを収容する使用前シートローラと、使用後それを巻き取る使用後シートローラを平行にし且つ近接して掃除機基盤に回転支持し、更に着脱が容易に出来得る構造とする。掃除機基盤にはフローリングシートが円滑に移動出来るように前部及び後部端に半円筒状或いはガイドローラが設けられる。
【実施例】
【０００８】
以下添付図に従って一実施例を説明する。図１は本考案の床拭き掃除機の機能構造を現す正面図であるが、操作上は進行方向に対して左側面である。
１は耐久性プラスチック等適宜素材にて一体或はブロック製作された掃除機基盤、２はローラ支持脚の部分である。この掃除機基盤には、前部に半円ガイド３或はガイドローラ１２が選択されて設けられる。同様に後部に於いても半円ガイド３或はガイドローラ１２が設けられる。
これらは前部がローラで後部は半円ガイドの選択採用もあり得る。ローラ支持脚２は正面図側と背面図側に対称に現れるが、使用前後のシートローラ５、６と装着、取り外し交換によりその左右同型のＵ型軸受、或は各々シートローラの安定性を考慮して正面側は円型軸受、背面側はＵ型軸受にする事も有効である。装着、取り外しを優先すれば、前面背面側ともＵ型軸受とし安定性を考慮すれば正面側は円型軸受、背面側はＵ型軸受が有効である。
【０００９】
上述の掃除基盤のほぼ中央部の正面側と背面側には、本床拭き掃除機を操作するハンドル８が回転支持出来るよう軸受が設けられる。この取付け構造は図３のハンドル構造例に示す。
【００１０】
図２は、床拭き掃除機の掃除機基盤１に使用後シートローラ６が装着回転支持された状態を示す。使用前シートローラ５も同様の構造で構成される。
ここに正面図側の軸受と背面側の軸受は正面側軸受が円型軸受１３、背面側軸受がＵ型軸受１４の構成の場合と、両軸受ともにＵ型軸受を採用するかは利用条件によって選択される事は前にも説明しているが、機体の剛性上から正面図側に示されているローラ支持脚は剛性を強目にして円型軸受を設け、背面側の軸受はやや弱目の弾性を有するローラ支持脚として使用前後のシートローラの嵌脱を容易にされる。両軸受がＵ型の場合にはこの対策は必要とされないので同型軸受が採用され、本考案はこれを示す。ガイドプレート１５はフローリングシート４の装着及び調整に使用される。
【００１１】
図３に示された門型のハンドル８は本考案の床拭き掃除機は手動のみによって使用する場合、巻き取りのみを巻取駆動モータ９によって行う場合が考えられる。
このハンドルの支持方法は先に述べたように回転軸受とされるが危険防止上、抵抗ある回転移動をするように軸受を硬目にするか、バネ吊り等考慮が必要である。
【００１２】
図１に示す半円ガイド３は床拭き掃除機の前後に設けられ、フローリングシートの巻き取りの際に利用される他、使用中に前進或は前進後退する際の位置保持を果たす。初期セットはフローリングシート前端を掃除機基盤の底面に沿って、使用後シートローラに直接巻き付けるか、使用後シートローラ６に設けられるシート受７にヘアーピン１１にてクリップされる。
【００１３】
図４に示すガイドローラ１２は、手動の場合、手加減が出来難いので、フローリングシートが緩み過ぎないように緊張効果を持たせるものである。このガイドローラ表面は滑り止め効果を得る為、スプラインの如く平行溝を設けるか多数のピンを設けてその効果を得る。
【００１４】
本考案の一実施例は手動を基本に発展的に巻取駆動方式やリモートコントロールに言及したが、需要とコストの関係を見計らって改良、提案される。特に本考案において、フローリングシートはタオル地、ガーゼ地或はペーパーシート状のものが選定されること。従ってシート長さは厚さの他に用途によって変わるため、使用前後のシートローラにも影響が及ぶ事となる。先にリモートコントロールに言及したが、この案は３〜４個のフリーキャスターを有するキャプセルの中に収容し、吊上げ吊降ろしの構造が考えられるが本案から除外される。
【符号の説明】
【００１５】
１．  掃除機基盤
２．  ローラ支持脚
３．  半円ガイド
４．  フローリングシート
５．  使用前シートローラ
６．  使用後シートローラ
７．  シート受
８．  ハンドル
９．  巻取駆動モータ
１０．モータ操作スイッチ
１１．ヘアーピン
１２．ガイドローラ
１３．円型軸受
１４．Ｕ型軸受
１５．ガイドプレート
【図１】
0003235239.tif 000003
【図２】
0003235239.tif 000004
【図３】
0003235239.tif 000005
【図４】
0003235239.tif 000006